(57)【要約】【課題】重量のある送風装置の本体のガタツキを防ぐとともに、送風装置が大型化しても、滑らかな首振りを簡単な構成で安価に実現できる送風装置を提供する。【解決手段】送風部を保持する本体１２と、本体１２を回転軸で枢着する台座１０と、本体１２を、前記回転軸を中心に左右方向に旋回させる首振り機構とを備えている。台座１０の前記回転軸から離れた位置に前記本体部を支持する複数の回転体を設けている。また、回転体は、前記首振り機構よりも外側に離れた位置に設けている。【選択図】図１
2015092071.tif 000002
【特許請求の範囲】
【請求項１】
送風部と、
前記送風部を保持する本体と、
前記本体を回転軸で枢着する台座と、
前記本体を、前記回転軸を中心に左右方向に旋回させる首振り機構と、を備え、
前記回転軸から離れた位置に前記本体を支持する複数の回転体を設けたことを特徴とする送風装置。
【請求項２】
前記回転体は、前記首振り機構よりも外側に離れた位置に設けたことを特徴とする請求項１に記載の送風装置。
【請求項３】
前記複数の回転体を前記台座に設けたことを特徴とする請求項１又は２に記載の送風装置。
【請求項４】
前記台座に凹形状の回転体収納部を形成し、該回転体収納部に前記回転体を収納するとともに、前記回転体を前記回転体収納部に保持するための回転体押え部材を設けたことを特徴とする請求項１〜３のいずれかに記載の送風装置。
【請求項５】
前記回転体押え部材は、回転体露出孔を有しており、該回転体露出孔から前記回転体の一部が露出するように前記回転体を押えるものであることを特徴とする請求項４に記載の送風装置
【請求項６】
前記回転体押え部材は、脚部を有しており、該脚部に形成した爪部を前記台座に形成された係止孔に係入して前記台座に装着することを特徴とする請求項４又は５に記載の送風装置。
【請求項７】
前記回転体は、第１のリングと第２のリングの間に回転可能に挟持され、前記台座に形成されたリング状凹部に前記第１のリングと第２のリングが挿入されていることを特徴とする請求項１又は２に記載の送風装置。
【請求項８】
前記第１のリングと第２のリングの周方向に複数の回転体挟持孔が形成されており、これら回転体挟持孔にそれぞれ前記回転体が挟持されることを特徴とする請求項７に記載の送風装置。
【請求項９】
前記複数の回転体を前記本体の底部に設けたことを特徴とする請求項１又は２に記載の送風装置。
【請求項１０】
前記回転体が設けられた部材と対向する側にレールを設けたことを特徴とする請求項３又は９に記載の送風装置。
【請求項１１】
前記回転体及び前記レールの材質は摺動性の良い合成樹脂を用いることを特徴とする請求項１０に記載の送風装置。
【請求項１２】
前記回転体はボールであることを特徴とする請求項１〜１１のいずれかに記載の送風装置。
【発明の詳細な説明】
【技術分野】
【０００１】
本発明は、部屋の空気を攪拌させる送風機、特に送風機の首振り機構に関する。
【背景技術】
【０００２】
送風装置はファンによって室内の温度の異なる空気を攪拌させることで室内の温度を均一にさせることを目的としている。また、より効率よく攪拌させるため送風機の送風方向を変えることのできる首振り機構を搭載したものもある。その構成の一例として、攪拌する気流を生成するファン、ファンを覆うファンガード、ファンガードを固定する本体部、本体部の回転軸を軸支する台座からなる送風装置がある。
また、居室のサイズが大きくなるに伴い、攪拌する能力を高くするため送風装置のサイズも大型化してきている。
【０００３】
大型の送風装置ではファンやファンを駆動するモータなどで比較的重量のある本体部を回転軸の１点で支えて首振り動作をさせるため、首振り機能を動作させると本体部が振れる（いわゆるガタツキ）ことによって滑らかな回転が難しく、特に長時間運転した送風装置についてはその傾向が顕著となる。
そこで、重量のある本体を有する送風装置を滑らかに回転させる構成として様々な提案がなされている。
【０００４】
例えば特許文献１に記載されている扇風機では、基台にスラスト軸受けを設けることで基台に対して支柱を回転可能に軸支させた構成が開示されている。この扇風機は、電動機部（ファンとファン駆動部）を取り付けた支柱を、トラスト軸を介して基台に支持し、支柱を回転させることにより、全体を持ち上げることなく電動機の向きを自由に変えられるようにしたものであるが、電動機部の首振りは、電動機部に設けられた首振り機構によって行われる。したがって、電動機部が大型化すると首振り機構も大型化、複雑化し、さらには駆動装置のパワーアップ等が必要になり、コストも高くなるという問題がある。
【先行技術文献】
【特許文献】
【０００５】
【特許文献１】実開平３−１００９５号
【発明の概要】
【発明が解決しようとする課題】
【０００６】
本発明は、以上のような課題を解決するため鋭意検討した結果なされたものであり、重量のある送風装置の本体のガタツキを防ぐとともに、送風装置が大型化しても、滑らかな首振りを簡単な構成で安価に実現できる送風装置を提供するものである。
【課題を解決するための手段】
【０００７】
上記課題を解決するため、請求項１に記載の発明にあたっては、送風部と、前記送風部を保持する本体と、前記本体を回転軸で枢着する台座と、前記本体を、前記回転軸を中心に左右方向に旋回させる首振り機構とを備え、前記回転軸から離れた位置に前記本体を支持する複数の回転体を設けたことを特徴とするものである。
【０００８】
請求項２に記載の発明にあたっては、前記回転体は、前記首振り機構よりも外側に離れた位置に設けたことを特徴とするものである。
【０００９】
請求項３に記載の発明にあたっては、前記複数の回転体を前記台座に設けたことを特徴とするものである。
【００１０】
請求項４に記載の発明にあたっては、前記台座に凹形状の回転体収納部を形成し、該回転体収納部に前記回転体を収納するとともに、前記回転体を前記回転体収納部に保持するための回転体押え部材を設けたことを特徴とするものである。
【００１１】
請求項５に記載の発明にあたっては、前記回転体押え部材は、回転体露出孔を有しており、該回転体露出孔から前記回転体の一部が露出するように前記回転体を押えるものであることを特徴とするものである。
【００１２】
請求項６に記載の発明にあたっては、前記回転体押え部材は、脚部を有しており、該脚部に形成した爪部を前記台座に形成された係止孔に係入して前記台座に装着することを特徴とするものである。
【００１３】
請求項７に記載の発明にあたっては、前記回転体は、第１のリングと第２のリングの間に回転可能に挟持され、前記台座に形成されたリング状凹部に前記第１のリングと第２のリングが挿入されていることを特徴とするものである。
【００１４】
請求項８に記載の発明にあたっては、前記第１のリングと第２のリングの周方向に複数の回転体挟持孔が形成されており、これら回転体挟持孔にそれぞれ前記回転体が挟持されることを特徴とするものである。
【００１５】
請求項９に記載の発明にあたっては、前記複数の回転体を前記本体に設けたことを特徴とするものである。
【００１６】
請求項１０に記載の発明にあたっては、前記回転体が設けられた部材と対向する側にレールを設けたことを特徴とするものである。
【００１７】
請求項１１に記載の発明にあたっては、前記回転体及びレールの材質は摺動性の良い合成樹脂を用いることを特徴とするものである。
【００１８】
請求項１２に記載の発明にあたっては、前記回転体がボールであることを特徴とするものである。
【発明の効果】
【００１９】
請求項１に記載の発明によれば、回転軸から一定距離はなれたところに設けられる回転体によって本体を支えることにより本体のガタつきを低減し、回転体が回転することにより滑らか首振り動作を実現することが可能となる。
【００２０】
請求項２に記載の発明によれば、首振り機構を回転軸近傍に配置できるため回転体が配置される場所より回転軸側のスペースを有効に活用でき、それにともなって台座のサイズが大きくなることを防ぐことが可能となる。
【００２１】
請求項３、９に記載の発明によれば、回転体を設けるスペースを台座もしくは本体に収めることできるため、外観がすっきりする。また、請求項９では組立ての際にボールを押さえ込む必要がないため、余計な部材が不要となる。
【００２２】
請求項４、５に記載の発明によれば、回転体押さえ部材によって回転体が回転体収納部から飛び出すのを防ぐことが可能となる。さらに回転体押さえ部材に回転体露出孔を設けることによって、回転体が飛び出すことを防ぎつつ回転体で本体部を支持することが可能となる。
【００２３】
請求項６に記載の発明によれば、回転体押さえ部の脚部に爪部を設けることによって回転体押さえ部が台座から容易に外れてしまうことを防ぐことが可能となる。
【００２４】
請求項７、８に記載の発明によれば、第1、第２のリングによって回転体同士の位置関係を保ったまま、台座に形成されたリング状凹部内を回転するので、滑らかな首振り動作を実現することが可能となる。
【００２５】
請求項１０、１１に記載の発明によれば、回転体がうまく回転しなかった場合でもレール上を回転体が移動することで滑らかな首振り動作を可能とする。さらに回転体の材質を摺動性の良い合成樹脂を用いることで更に滑らかな首振り動作が可能となる。
【００２６】
請求項１２に記載の発明によれば、回転体をボール（球体）にすることによってどのような方向に回転しても滑らかに回転することができ、さらに本体部を一点で支持するため、本体部とボールとで生じる抵抗を軽減することが可能となる。
【図面の簡単な説明】
【００２７】
【図１】本発明の第１の実施形態に係る送風装置の全体斜視図
【図２】本発明の第１の実施形態に係る台座部分の裏面図
【図３】本発明の第１の実施形態に係る台座部分の側面図
【図４】本発明の第１の実施形態に係る台座の拡大斜視図
【図５】本発明の第１の実施形態に係る部品構成斜視図
【図６】本発明の第２の実施形態に係る部品構成斜視図
【図７】本発明の第３の実施形態に係る送風装置の全体斜視図
【図８】本発明の第３の実施形態に係る部品構成斜視図
【図９】本発明の第３の実施形態に係る組立開始時の底面図
【図１０】本発明の第３の実施形態に係るレールの拡大斜視図
【図１１】本発明の第３の実施形態に係る台座の内面側の拡大斜視図
【図１２】本発明の第３の実施形態に係る組立途中段階の底面図
【図１３】本発明の第３の実施形態に係る組立完成時の底面図
【発明を実施するための形態】
【００２８】
以下に本発明の好適な実施の形態について、図面を参照しながら説明する。なお本実施形態は一例であり、これに限定されるものではない。
【００２９】
（全体構成）
本実施形態に係わる送風装置１００の全体構成について図1を用いて説明する。
【００３０】
送風装置１００は図1に示すとおり概ね台座１０、本体１２、ファンガード１８から構成される。台座１０には、本体１２を一定の角度で左右方向に旋回させる首振り機構が内蔵されている。首振り機構については後述する。図1は、台座１０が本体１２よりも小さく見えるが、これは首振り動作をしている途中を図示しているためである。
【００３１】
本体１２は、台座１０と回転軸２４（図２、図３）とで回動可能に接続されている。本体１２には、風量の強さ・運転停止を指示する風量切替スイッチ１４ａ〜１４ｄが設けられている。また首振り動作のオン・オフを切り替える首振りスイッチ１６が設けられている。
【００３２】
本体１２の左右両側部にはそれぞれ脚部１２ａが立設されており、その上端部はファンガード１８と接続部１２ｂで接続されている。
なお、接続部１２ｂには、図示しないが本体ケース１８の上下方向の角度を調整するための角度調節機構が装備されている。
【００３３】
ファンガード１８は内側に図示しないファン（送風部）を内蔵する。このファンが回転することで室内を攪拌するための気流を生成する。ファンガード１８は、ファンとファン駆動用モータ（不図示）とが固定される後側ファンガード１８ａと、使用者が回転するファンに接触することを防ぐ前側ファンガード１８ｂとから構成される。
【００３４】
前側ファンガード１８ｂのガード形状は渦巻状を形成しているため、ファンによって生成された気流にねじりを加えて直進性を有した気流に変換する。
【００３５】
把持部２０は、送風装置１００を容易に持ち運ぶことを可能とするために取り付けられている。本実施例では後側ファンガード１８ａ裏側上部に取り付けられるが、同様の作用を発揮するのであればどこでも構わない。
【００３６】
（首振り機構）
次に図２〜図４を用いて首振り機構の説明をする。図２，図３は、それぞれ台座１０の裏面図と側面図であり、図４は台座の一部分を示す拡大斜視図である。
【００３７】
台座１０の裏側には、略中心部に円形の第３の貫通孔１０ｄ（図４）が形成され、その貫通孔１０ｄの側近部に空豆形状の第1の貫通孔１０ａが形成されている。また第１の貫通孔１０ａと反対側には第３の貫通孔１０ｄから離れて円形の第２の貫通孔１０ｃが形成されている。さらに、図２に示すように、台座１０の長側縁部の略中央部から第２の貫通孔１０ｃまで延びるクランク形状の溝部１０ｂが形成されている。なお、台座１０の強度を確保するため、補強用のリブが各所に設けられている。
【００３８】
台座１０の上部には、図３に示すようにモータユニット２２が配置されている。モータユニット２２は実際には本体１２の内部に設置されるが、図３では便宜上、本体１２を省略している。モーターニット２２は、モータ出力軸に一端部を枢着させた第１のアーム２６（図２）を有しており、この第１のアーム２６の他端部は、図２に示すように台座１０の裏面部に配置されたアーチ形状の第２のアーム２８の一端部に枢着されている。また第２のアーム２８の他端部は、第３の貫通孔１０ｄ（回転軸２４を通す孔）の近くの枢着部３２に枢着されている。
【００３９】
これにより、モータユニット２２の回転に伴って第１のアーム２６が回転運動し、第２のアーム２８は、他端部が台座１０の枢着部３２に枢着されているため、第1の貫通孔１０ａに沿うような往復運動に変換される。この往復運動に伴い、本体１２は、第３の貫通孔１０ｄに枢着された回転軸２４を中心にして左右方向に首振り運動することになる。
【００４０】
溝部１０ｂは、商用電源から送風装置１００に電力を供給するための電源コード（不図示）を格納するための溝である。溝部１０ｂ内に格納することによって電源コードが台座１０の下での電源コードの取り回しが容易になる。
【００４１】
第２の貫通孔１０ｃは、溝部１０ｂに格納された電源コードを台座１０の表側、つまり本体１２側に通すための孔である。モータユニット２２は、台座１０の表側に配置されるので、モータユニット２２の近傍に第２の貫通孔１０ｃがあることでモータユニットとの接続を容易に行うことが可能となる。
【００４２】
第３の貫通孔１０ｄは、回転軸２４を通すための孔である。本体１２は、この回転軸２４を中心に首振り動作を行う。
【００４３】
台座１０の底部には脚部３４ａ〜３４ｄが設けられており、台座１０を床などに置いたときに、床に傷などをつけないようにしている。脚部３４ａ〜３４ｄは、床などを傷つけないものであればゴムでもフェルトのようなものであっても構わない。
【００４４】
（滑動機構）
次に図４、図５を用いて台座１０に設けられる滑動機構について説明する。滑動機構は、台座１０に形成されたボール収納部１０ｅと、ボール（回転体）３６と、ボール押え部材３８及び本体１２の底部に取り付けられたレール４０から構成されている。
【００４５】
具体的には、図４に示すように、座台１０の表面側には、首振りの回転中心となる第３の貫通孔１０ｄ（回転軸２４）及びモータユニット２２の配置位置から離して矩形の複数の溝部１０ｇが形成されている（ここでは４カ所に形成されている）。この溝部１０ｇの中央部には凹形状のボール収納部１０ｅが形成されており、このボール収納部１０ｅにボール３６が回転可能に収納されている。また、溝部１０ｇの左右両側部にはボール押え部材３８の係止孔１０ｆがそれぞれ形成されている。
【００４６】
ボール押さえ部材３８の上面部にはボール露出孔３８ｂが開口されている。また上面部から下方に伸びる脚部３８ａが設けられており、脚部３８ａの下端部には爪部が形成されている。このボール押え部材３８は、溝部１０ｇのボール収納部１０ｅにボール３６を収納した後、脚部３８ａを溝部１０ｇの係止孔１０ｆに挿入し、爪部を係止孔１０ｆに係止させることにより溝部１０ｇに装着される。これにより、ボール３６は、ボール押さえ部材３８のボール露出孔３８ｂからその一部分が露出した状態でボール収納部１０ｅの内部に押えられる。また脚部３８ａの爪部が係止孔１０ｆに係止されるため、ボール押え部材３８は溝部１０ｇから外れないようになっている。
【００４７】
なお、ボール押さえ部材３８が溝部１０ｇから容易に取れないようにする為に上記のような脚部に爪部を設けるほか、ネジ止めや接着、溶着などを用いることも可能である。
【００４８】
レール４０は、本体１２の底部のボール３６に接する位置に装着されている。装着の方法は、前述のボール押さえ部３８の脚部３８ａのような返しを設けてもよいし、ネジ止めや接着・溶着を用いても構わない。このレール４０によって、ボール３６が滑らかに回転することが可能となる。
【００４９】
本体部１２を支持する座台１０は、ボール押さえ部材３８のボール露出孔３８ｂから露出しているボール３６が本体１２のレール４０と接しており、ボール３６自体が回転することによって、本体１２の滑らかな首振りを実現するものである。ボール３６のような回転体であれば、本体１２と一点で接触、支持できるので首振り動作時の摩擦も小さくなり、より滑らかな回転が可能となる。
【００５０】
また、ボール３６には、ボール収納部１０ｅでの回転運動を容易にするために潤滑剤を使用しても構わない。さらに、本実施例では回転体としてボールを使用しているが回転可能であれば、円柱でも円錐体のような形状であっても構わない。
【００５１】
ボール収納部１０ｅはモータユニット２２より外側になるように設けられる。モータユニット２２を回転軸２４の近くに配置することで、モータユニット２２の重さによって本体１２が傾くことを防ぎ、さらにボール収納部１０ｅを回転軸２４より遠い位置に配置することで、ボール３６により、本体１２が傾くことがないように安定して支持することができる。
【００５２】
また、本実施形態ではボール３６を４つ使用しているが、ボールを３つ以上であれば同様の効果を得ることが可能である。
【００５３】
次に、ボール３６とレール４０の材質について説明する。
ボール３６の材質はポリアセタール（ＰＯＭ）であり、レール４０はナイロンで構成される。この構成であれば、ポリアセタールは摺動性の良い合成樹脂であるため、より滑らかな首振り動作を実現することができる。更にボール３６はオイルを含浸させたものであればなお良い。また、ボール３６やレール４０の材質は上記材料に限定されず、摺動性の良い合成樹脂、例えばポリアミド（ＰＡ）、ポリテトラフルオロエチレン（ＰＴＦＥ）であっても良い。
【００５４】
（第２の実施形態）
次に第２の実施の形態として、図６を用いて説明する。第２の実施形態は、第１の実施形態のようにボール３６が台座１０に格納され固定の位置で回転するのに対して、ボール自体が移動することでより滑らかな首振り運動を実現する。なお、図６では本体１２は図示していない。
【００５５】
台座４２には回転軸２４を中心としてリング状の凹部４２ａが設けられる。凹部４２ａ内には第１のリング４４と第２のリング４８との間にボール４６を挟んで一体となったもの（回転部）がはめ込まれる。
【００５６】
すなわち、回転部は第１のリング４４と第２のリング４８の２枚から構成され、各リング４４,４８の周方向にはボール４６の外径より僅かに小径のボール挟持孔４４ａ，４８ａが複数開口されており、これらボール挟持孔４４ａ，４８ａの間にボール４６を回転可能な状態で挟持させる。なお２枚のリング４４,４８は溶着・接着やネジで連結してもよい。
【００５７】
このような回転部を設けることにより、凹部４２の中を、それぞれのボールの位置関係を乱すことなく、自由に回転運動可能にすることにより、より滑らかな首振り運動を実現することが可能となる。
【００５８】
（第３の実施形態）
次に第３の実施の形態である送風装置２００について、図７、図８を用いて説明する。第１、第２の実施形態とは異なり、送風装置２００のファンガード１１８は一つの支柱１１２ａにて本体１１２に支持されている。また図８に示すようにボール１３６が本体１１２側に配置され、レール１４０が台座１１０側に配置されている。
【００５９】
（組立工程）
図９〜図１３を用いて送風装置２００の構成を組立順に沿って具体的に説明する。  
図９は組立開始時の状態を本体１１２の底面側から見たもので、中央部には図２と同様の首振り機構（中心軸１２４、第１のモータアーム１２６、第２のモータアーム１２８など）を備え、さらにボール１３６を受ける凹部のボール収納部１１２ｂが設けられており、その上に、８個のボール１３６を上方から載せたものである。その後、図１０に示すレール１４０のフラット面（不図示）がボール１３６と接するように上方から載せる。なお、レール１４０は台座１１０に係合させるための爪部１４０ａを４つ備えるとともに、台座１１０とビス止めされるビス受け部１４０ｂを４つ備えている。
【００６０】
図１１に示すように台座１１０の内部中央部には、中心軸１２４を通す孔１１０ｄが形成されるとともに、座台１１０の内部周縁部にはレール１４０が入り込む溝部１１０ａが設けられている。レール１４０は、その溝部１１０ａに覆いかぶせるように嵌入される。その際、台座１１０の内部に設けた４つの係合孔１１０ｇに４つのレール爪部１４０ｂが係合するように嵌め込んだあと、図１２に示すように、ビス１５０にてレール１４０と台座１１０とを共締めする。その後、回転軸１２４にワッシャー１５２を嵌め込んだあとＥリング１５４で締め付ける。
【００６１】
最後に、台座１１０の脚部挿入部１１０ｊにゴムなどからなる脚部１３４を挿入し、中央底カバー１１０ｉを嵌め込むことで組立が完成する（図１３参照）。
【００６２】
以上のように、各実施形態によれば送風装置の首振り動作において、ガタツキをなくしスムーズな首振り動作を提供することができる。
なお本発明は、上述した実施形態に限定されるものではなく、本発明の要旨を変えない範囲において、種々の変更、改変等が可能である。
【符号の説明】
【００６３】
１００、２００  送風装置
１０、１１０  台座
１０ａ  第１の貫通孔
１０ｂ  溝部
１０ｃ  第２の貫通孔
１０ｄ  第３の貫通孔
１０ｅ  凹部（ボール収納部）
１０ｆ  固定用凹部
１１０ａ  溝部
１１０ｄ  貫通孔
１１０ｇ  レール爪部係合孔
１１０ｈ  ビス孔
１１０ｉ  中央底カバー
１１０ｊ  脚部挿入部
１２、１１２  本体
１２ａ、１１２ａ  支柱
１１２ｂ  凹部（ボール収納部）
１４ａ〜１４ｄ  風量切替スイッチ
１６  首振り動作スイッチ
１８  ファンガード
１８ａ、１１８ａ  後側ファンガード
１８ｂ、１１８ｂ  前側ファンガード
２０、１２０  把持部
２２  モータユニット
２４、１２４  回転軸
２６、１２６  第１のモータアーム
２８、１２８  第２のモータアーム
３０  第１のモータアーム接続部
３２  第２のモータアーム接続部
３４ａ〜３４ｄ、１３４  脚部
３６、４６、１３６  ボール
３８  ボール押さえ部
３８ａ  脚部
４０、１４０  すべり板（レール）
４２  第２の実施形態の台座
４２ａ、１１０ａ  溝部
４４  第１のリング
４８  第２のリング
１４０ａ  レール爪部
１４０ｂ  ビス孔
１５０  ビス
１５２  ワッシャー
１５４  Ｅリング
【図１】
2015092071.tif 000003
【図２】
2015092071.tif 000004
【図３】
2015092071.tif 000005
【図４】
2015092071.tif 000006
【図５】
2015092071.tif 000007
【図６】
2015092071.tif 000008
【図７】
2015092071.tif 000009
【図８】
2015092071.tif 000010
【図９】
2015092071.tif 000011
【図１０】
2015092071.tif 000012
【図１１】
2015092071.tif 000013
【図１２】
2015092071.tif 000014
【図１３】
2015092071.tif 000015
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
送風部と、前記送風部を保持する本体と、前記本体を回転軸で枢着する台座と、前記本体を前記回転軸を中心に左右方向に旋回させる首振り機構と、を備え、
前記回転軸から離れた位置であって、前記回転軸の近傍に配置された前記首振り機構の配置位置よりも外側の位置に、前記本体を支持する複数の回転体を設けたことを特徴とする送風装置。
【請求項２】
前記複数の回転体を前記台座に設けたことを特徴とする請求項１に記載の送風装置。
【請求項３】
前記台座に凹形状の回転体収納部を形成し、該回転体収納部に前記回転体を収納するとともに、前記回転体を前記回転体収納部に保持するための回転体押え部材を設けたことを特徴とする請求項１又は２に記載の送風装置。
【請求項４】
前記回転体押え部材は、回転体露出孔を有しており、該回転体露出孔から前記回転体の一部が露出するように前記回転体を押えるものであることを特徴とする請求項３に記載の送風装置
【請求項５】
前記回転体押え部材は、脚部を有しており、該脚部に形成した爪部を前記台座に形成された係止孔に係入して前記台座に装着することを特徴とする請求項３又は４に記載の送風装置。
【請求項６】
前記回転体は、第１のリングと第２のリングの間に回転可能に挟持され、前記台座に形成されたリング状凹部に前記第１のリングと第２のリングが挿入されていることを特徴とする請求項１に記載の送風装置。
【請求項７】
前記第１のリングと第２のリングの周方向に複数の回転体挟持孔が形成されており、これら回転体挟持孔にそれぞれ前記回転体が挟持されることを特徴とする請求項６に記載の送風装置。
【請求項８】
前記複数の回転体を前記本体の底部に設けたことを特徴とする請求項１に記載の送風装置。
【請求項９】
前記回転体が設けられた部材と対向する側にレールを設けたことを特徴とする請求項２又は８に記載の送風装置。
【請求項１０】
前記回転体及び前記レールの材質は摺動性の良い合成樹脂を用いることを特徴とする請求項９に記載の送風装置。
【請求項１１】
前記回転体はボールであることを特徴とする請求項１〜１０のいずれかに記載の送風装置。
【手続補正２】
【補正対象書類名】明細書
【補正対象項目名】全文
【補正方法】変更
【補正の内容】
【発明の詳細な説明】
【技術分野】
【０００１】
本発明は、部屋の空気を攪拌させる送風機、特に送風機の首振り機構に関する。
【背景技術】
【０００２】
送風装置はファンによって室内の温度の異なる空気を攪拌させることで室内の温度を均一にさせることを目的としている。また、より効率よく攪拌させるため送風機の送風方向を変えることのできる首振り機構を搭載したものもある。その構成の一例として、攪拌する気流を生成するファン、ファンを覆うファンガード、ファンガードを固定する本体部、本体部の回転軸を軸支する台座からなる送風装置がある。
また、居室のサイズが大きくなるに伴い、攪拌する能力を高くするため送風装置のサイズも大型化してきている。
【０００３】
大型の送風装置ではファンやファンを駆動するモータなどで比較的重量のある本体部を回転軸の１点で支えて首振り動作をさせるため、首振り機能を動作させると本体部が振れる（いわゆるガタツキ）ことによって滑らかな回転が難しく、特に長時間運転した送風装置についてはその傾向が顕著となる。
そこで、重量のある本体を有する送風装置を滑らかに回転させる構成として様々な提案がなされている。
【０００４】
例えば特許文献１に記載されている扇風機では、基台にスラスト軸受けを設けることで基台に対して支柱を回転可能に軸支させた構成が開示されている。この扇風機は、電動機部（ファンとファン駆動部）を取り付けた支柱を、トラスト軸を介して基台に支持し、支柱を回転させることにより、全体を持ち上げることなく電動機の向きを自由に変えられるようにしたものであるが、電動機部の首振りは、電動機部に設けられた首振り機構によって行われる。したがって、電動機部が大型化すると首振り機構も大型化、複雑化し、さらには駆動装置のパワーアップ等が必要になり、コストも高くなるという問題がある。
【先行技術文献】
【特許文献】
【０００５】
【特許文献１】実開平３−１００９５号
【発明の概要】
【発明が解決しようとする課題】
【０００６】
本発明は、以上のような課題を解決するため鋭意検討した結果なされたものであり、重量のある送風装置の本体のガタツキを防ぐとともに、送風装置が大型化しても、滑らかな首振りを簡単な構成で安価に実現できる送風装置を提供するものである。
【課題を解決するための手段】
【０００７】
上記課題を解決するため、請求項１に記載の発明にあっては、送風部と、前記送風部を保持する本体と、前記本体を回転軸で枢着する台座と、前記本体を前記回転軸を中心に左右方向に旋回させる首振り機構と、を備え、
前記回転軸から離れた位置であって、前記回転軸の近傍に配置された前記首振り機構の配置位置よりも外側の位置に、前記本体を支持する複数の回転体を設けたことを特徴とする。
【０００８】
請求項２に記載の発明にあっては、前記複数の回転体を前記台座に設けたことを特徴とする。
【０００９】
請求項３に記載の発明にあっては、前記台座に凹形状の回転体収納部を形成し、該回転体収納部に前記回転体を収納するとともに、前記回転体を前記回転体収納部に保持するための回転体押え部材を設けたことを特徴とする。
【００１０】
請求項４に記載の発明にあっては、前記回転体押え部材は、回転体露出孔を有しており、該回転体露出孔から前記回転体の一部が露出するように前記回転体を押えるものであることを特徴とする。
【００１１】
請求項５に記載の発明にあっては、前記回転体押え部材は、脚部を有しており、該脚部に形成した爪部を前記台座に形成された係止孔に係入して前記台座に装着することを特徴とする。
【００１２】
請求項６に記載の発明にあっては、前記回転体は、第１のリングと第２のリングの間に回転可能に挟持され、前記台座に形成されたリング状凹部に前記第１のリングと第２のリングが挿入されていることを特徴とする。
【００１３】
請求項７に記載の発明にあっては、前記第１のリングと第２のリングの周方向に複数の回転体挟持孔が形成されており、これら回転体挟持孔にそれぞれ前記回転体が挟持されることを特徴とする。
【００１４】
請求項８に記載の発明にあっては、前記複数の回転体を前記本体の底部に設けたことを特徴とする。
【００１５】
請求項９に記載の発明にあっては、前記回転体が設けられた部材と対向する側にレールを設けたことを特徴とする。
【００１６】
請求項１０に記載の発明にあっては、前記回転体及び前記レールの材質は摺動性の良い合成樹脂を用いることを特徴とする。
【００１７】
請求項１１に記載の発明にあっては、前記回転体はボールであることを特徴とする。
【発明の効果】
【００１８】
請求項１に記載の発明によれば、回転軸から離れた位置に回転体が配置されるため、送風装置が大型化しても回転体によって本体を安定して支えることができ、本体の傾きを防ぎ、ガタ付きを低減し、回転体が回転することにより滑らかな首振り動作を実現することができる。また、首振り機構を回転軸近傍に配置できるため回転体が配置される場所より回転軸側のスペースを有効に活用することができ、それにともなって台座のサイズが大きくなることを防ぐことが可能となる
【００１９】
請求項２、８に記載の発明によれば、回転体を設けるスペースを台座もしくは本体に収めることできるため、外観がすっきりする。また、請求項９では組立ての際にボールを押さえ込む必要がないため、余計な部材が不要となる。
【００２０】
請求項３、４に記載の発明によれば、回転体押さえ部材によって回転体が回転体収納部から飛び出すのを防ぐことが可能となる。さらに回転体押さえ部材に回転体露出孔を設けることによって、回転体が飛び出すことを防ぎつつ回転体で本体部を支持することが可能となる。
【００２１】
請求項５に記載の発明によれば、回転体押さえ部の脚部に爪部を設けることによって回転体押さえ部が台座から容易に外れてしまうことを防ぐことが可能となる。
【００２２】
請求項６、７に記載の発明によれば、第1、第２のリングによって回転体同士の位置関係を保ったまま、台座に形成されたリング状凹部内を回転するので、滑らかな首振り動作を実現することが可能となる。
【００２３】
請求項９、１０に記載の発明によれば、回転体がうまく回転しなかった場合でもレール上を回転体が移動することで滑らかな首振り動作を可能とする。さらに回転体の材質を摺動性の良い合成樹脂を用いることで更に滑らかな首振り動作が可能となる。
【００２４】
請求項１１に記載の発明によれば、回転体をボール（球体）にすることによってどのような方向に回転しても滑らかに回転することができ、さらに本体部を一点で支持するため、本体部とボールとで生じる抵抗を軽減することが可能となる。
【図面の簡単な説明】
【００２５】
【図１】本発明の第１の実施形態に係る送風装置の全体斜視図
【図２】本発明の第１の実施形態に係る台座部分の裏面図
【図３】本発明の第１の実施形態に係る台座部分の側面図
【図４】本発明の第１の実施形態に係る台座の拡大斜視図
【図５】本発明の第１の実施形態に係る部品構成斜視図
【図６】本発明の第２の実施形態に係る部品構成斜視図
【図７】本発明の第３の実施形態に係る送風装置の全体斜視図
【図８】本発明の第３の実施形態に係る部品構成斜視図
【図９】本発明の第３の実施形態に係る組立開始時の底面図
【図１０】本発明の第３の実施形態に係るレールの拡大斜視図
【図１１】本発明の第３の実施形態に係る台座の内面側の拡大斜視図
【図１２】本発明の第３の実施形態に係る組立途中段階の底面図
【図１３】本発明の第３の実施形態に係る組立完成時の底面図
【発明を実施するための形態】
【００２６】
以下に本発明の好適な実施の形態について、図面を参照しながら説明する。なお本実施形態は一例であり、これに限定されるものではない。
【００２７】
（全体構成）
本実施形態に係わる送風装置１００の全体構成について図1を用いて説明する。
【００２８】
送風装置１００は図1に示すとおり概ね台座１０、本体１２、ファンガード１８から構成される。台座１０には、本体１２を一定の角度で左右方向に旋回させる首振り機構が内蔵されている。首振り機構については後述する。図1は、台座１０が本体１２よりも小さく見えるが、これは首振り動作をしている途中を図示しているためである。
【００２９】
本体１２は、台座１０と回転軸２４（図２、図３）とで回動可能に接続されている。本体１２には、風量の強さ・運転停止を指示する風量切替スイッチ１４ａ〜１４ｄが設けられている。また首振り動作のオン・オフを切り替える首振りスイッチ１６が設けられている。
【００３０】
本体１２の左右両側部にはそれぞれ脚部１２ａが立設されており、その上端部はファンガード１８と接続部１２ｂで接続されている。
なお、接続部１２ｂには、図示しないが本体ケース１８の上下方向の角度を調整するための角度調節機構が装備されている。
【００３１】
ファンガード１８は内側に図示しないファン（送風部）を内蔵する。このファンが回転することで室内を攪拌するための気流を生成する。ファンガード１８は、ファンとファン駆動用モータ（不図示）とが固定される後側ファンガード１８ａと、使用者が回転するファンに接触することを防ぐ前側ファンガード１８ｂとから構成される。
【００３２】
前側ファンガード１８ｂのガード形状は渦巻状を形成しているため、ファンによって生成された気流にねじりを加えて直進性を有した気流に変換する。
【００３３】
把持部２０は、送風装置１００を容易に持ち運ぶことを可能とするために取り付けられている。本実施例では後側ファンガード１８ａ裏側上部に取り付けられるが、同様の作用を発揮するのであればどこでも構わない。
【００３４】
（首振り機構）
次に図２〜図４を用いて首振り機構の説明をする。図２，図３は、それぞれ台座１０の裏面図と側面図であり、図４は台座の一部分を示す拡大斜視図である。
【００３５】
台座１０の裏側には、略中心部に円形の第３の貫通孔１０ｄ（図４）が形成され、その貫通孔１０ｄの側近部に空豆形状の第1の貫通孔１０ａが形成されている。また第１の貫通孔１０ａと反対側には第３の貫通孔１０ｄから離れて円形の第２の貫通孔１０ｃが形成されている。さらに、図２に示すように、台座１０の長側縁部の略中央部から第２の貫通孔１０ｃまで延びるクランク形状の溝部１０ｂが形成されている。なお、台座１０の強度を確保するため、補強用のリブが各所に設けられている。
【００３６】
台座１０の上部には、図３に示すようにモータユニット２２が配置されている。モータユニット２２は実際には本体１２の内部に設置されるが、図３では便宜上、本体１２を省略している。モーターニット２２は、モータ出力軸に一端部を枢着させた第１のアーム２６（図２）を有しており、この第１のアーム２６の他端部は、図２に示すように台座１０の裏面部に配置されたアーチ形状の第２のアーム２８の一端部に枢着されている。また第２のアーム２８の他端部は、第３の貫通孔１０ｄ（回転軸２４を通す孔）の近くの枢着部３２に枢着されている。
【００３７】
これにより、モータユニット２２の回転に伴って第１のアーム２６が回転運動し、第２のアーム２８は、他端部が台座１０の枢着部３２に枢着されているため、第1の貫通孔１０ａに沿うような往復運動に変換される。この往復運動に伴い、本体１２は、第３の貫通孔１０ｄに枢着された回転軸２４を中心にして左右方向に首振り運動することになる。
【００３８】
溝部１０ｂは、商用電源から送風装置１００に電力を供給するための電源コード（不図示）を格納するための溝である。溝部１０ｂ内に格納することによって電源コードが台座１０の下での電源コードの取り回しが容易になる。
【００３９】
第２の貫通孔１０ｃは、溝部１０ｂに格納された電源コードを台座１０の表側、つまり本体１２側に通すための孔である。モータユニット２２は、台座１０の表側に配置されるので、モータユニット２２の近傍に第２の貫通孔１０ｃがあることでモータユニットとの接続を容易に行うことが可能となる。
【００４０】
第３の貫通孔１０ｄは、回転軸２４を通すための孔である。本体１２は、この回転軸２４を中心に首振り動作を行う。
【００４１】
台座１０の底部には脚部３４ａ〜３４ｄが設けられており、台座１０を床などに置いたときに、床に傷などをつけないようにしている。脚部３４ａ〜３４ｄは、床などを傷つけないものであればゴムでもフェルトのようなものであっても構わない。
【００４２】
（滑動機構）
次に図４、図５を用いて台座１０に設けられる滑動機構について説明する。滑動機構は、台座１０に形成されたボール収納部１０ｅと、ボール（回転体）３６と、ボール押え部材３８及び本体１２の底部に取り付けられたレール４０から構成されている。
【００４３】
具体的には、図４に示すように、座台１０の表面側には、首振りの回転中心となる第３の貫通孔１０ｄ（回転軸２４）及びモータユニット２２の配置位置から離して矩形の複数の溝部１０ｇが形成されている（ここでは４カ所に形成されている）。この溝部１０ｇの中央部には凹形状のボール収納部１０ｅが形成されており、このボール収納部１０ｅにボール３６が回転可能に収納されている。また、溝部１０ｇの左右両側部にはボール押え部材３８の係止孔１０ｆがそれぞれ形成されている。
【００４４】
ボール押さえ部材３８の上面部にはボール露出孔３８ｂが開口されている。また上面部から下方に伸びる脚部３８ａが設けられており、脚部３８ａの下端部には爪部が形成されている。このボール押え部材３８は、溝部１０ｇのボール収納部１０ｅにボール３６を収納した後、脚部３８ａを溝部１０ｇの係止孔１０ｆに挿入し、爪部を係止孔１０ｆに係止させることにより溝部１０ｇに装着される。これにより、ボール３６は、ボール押さえ部材３８のボール露出孔３８ｂからその一部分が露出した状態でボール収納部１０ｅの内部に押えられる。また脚部３８ａの爪部が係止孔１０ｆに係止されるため、ボール押え部材３８は溝部１０ｇから外れないようになっている。
【００４５】
なお、ボール押さえ部材３８が溝部１０ｇから容易に取れないようにする為に上記のような脚部に爪部を設けるほか、ネジ止めや接着、溶着などを用いることも可能である。
【００４６】
レール４０は、本体１２の底部のボール３６に接する位置に装着されている。装着の方法は、前述のボール押さえ部３８の脚部３８ａのような返しを設けてもよいし、ネジ止めや接着・溶着を用いても構わない。このレール４０によって、ボール３６が滑らかに回転することが可能となる。
【００４７】
本体部１２を支持する座台１０は、ボール押さえ部材３８のボール露出孔３８ｂから露出しているボール３６が本体１２のレール４０と接しており、ボール３６自体が回転することによって、本体１２の滑らかな首振りを実現するものである。ボール３６のような回転体であれば、本体１２と一点で接触、支持できるので首振り動作時の摩擦も小さくなり、より滑らかな回転が可能となる。
【００４８】
また、ボール３６には、ボール収納部１０ｅでの回転運動を容易にするために潤滑剤を使用しても構わない。さらに、本実施例では回転体としてボールを使用しているが回転可能であれば、円柱でも円錐体のような形状であっても構わない。
【００４９】
ボール収納部１０ｅはモータユニット２２より外側になるように設けられる。モータユニット２２を回転軸２４の近くに配置することで、モータユニット２２の重さによって本体１２が傾くことを防ぎ、さらにボール収納部１０ｅを回転軸２４より遠い位置に配置することで、ボール３６により、本体１２が傾くことがないように安定して支持することができる。
【００５０】
また、本実施形態ではボール３６を４つ使用しているが、ボールを３つ以上であれば同様の効果を得ることが可能である。
【００５１】
次に、ボール３６とレール４０の材質について説明する。
ボール３６の材質はポリアセタール（ＰＯＭ）であり、レール４０はナイロンで構成される。この構成であれば、ポリアセタールは摺動性の良い合成樹脂であるため、より滑らかな首振り動作を実現することができる。更にボール３６はオイルを含浸させたものであればなお良い。また、ボール３６やレール４０の材質は上記材料に限定されず、摺動性の良い合成樹脂、例えばポリアミド（ＰＡ）、ポリテトラフルオロエチレン（ＰＴＦＥ）であっても良い。
【００５２】
（第２の実施形態）
次に第２の実施の形態として、図６を用いて説明する。第２の実施形態は、第１の実施形態のようにボール３６が台座１０に格納され固定の位置で回転するのに対して、ボール自体が移動することでより滑らかな首振り運動を実現する。なお、図６では本体１２は図示していない。
【００５３】
台座４２には回転軸２４を中心としてリング状の凹部４２ａが設けられる。凹部４２ａ内には第１のリング４４と第２のリング４８との間にボール４６を挟んで一体となったもの（回転部）がはめ込まれる。
【００５４】
すなわち、回転部は第１のリング４４と第２のリング４８の２枚から構成され、各リング４４,４８の周方向にはボール４６の外径より僅かに小径のボール挟持孔４４ａ，４８ａが複数開口されており、これらボール挟持孔４４ａ，４８ａの間にボール４６を回転可能な状態で挟持させる。なお２枚のリング４４,４８は溶着・接着やネジで連結してもよい。
【００５５】
このような回転部を設けることにより、凹部４２の中を、それぞれのボールの位置関係を乱すことなく、自由に回転運動可能にすることにより、より滑らかな首振り運動を実現することが可能となる。
【００５６】
（第３の実施形態）
次に第３の実施の形態である送風装置２００について、図７、図８を用いて説明する。第１、第２の実施形態とは異なり、送風装置２００のファンガード１１８は一つの支柱１１２ａにて本体１１２に支持されている。また図８に示すようにボール１３６が本体１１２側に配置され、レール１４０が台座１１０側に配置されている。
【００５７】
（組立工程）
図９〜図１３を用いて送風装置２００の構成を組立順に沿って具体的に説明する。  
図９は組立開始時の状態を本体１１２の底面側から見たもので、中央部には図２と同様の首振り機構（中心軸１２４、第１のモータアーム１２６、第２のモータアーム１２８など）を備え、さらにボール１３６を受ける凹部のボール収納部１１２ｂが設けられており、その上に、８個のボール１３６を上方から載せたものである。その後、図１０に示すレール１４０のフラット面（不図示）がボール１３６と接するように上方から載せる。なお、レール１４０は台座１１０に係合させるための爪部１４０ａを４つ備えるとともに、台座１１０とビス止めされるビス受け部１４０ｂを４つ備えている。
【００５８】
図１１に示すように台座１１０の内部中央部には、中心軸１２４を通す孔１１０ｄが形成されるとともに、座台１１０の内部周縁部にはレール１４０が入り込む溝部１１０ａが設けられている。レール１４０は、その溝部１１０ａに覆いかぶせるように嵌入される。その際、台座１１０の内部に設けた４つの係合孔１１０ｇに４つのレール爪部１４０ｂが係合するように嵌め込んだあと、図１２に示すように、ビス１５０にてレール１４０と台座１１０とを共締めする。その後、回転軸１２４にワッシャー１５２を嵌め込んだあとＥリング１５４で締め付ける。
【００５９】
最後に、台座１１０の脚部挿入部１１０ｊにゴムなどからなる脚部１３４を挿入し、中央底カバー１１０ｉを嵌め込むことで組立が完成する（図１３参照）。
【００６０】
以上のように、各実施形態によれば送風装置の首振り動作において、ガタツキをなくしスムーズな首振り動作を提供することができる。
なお本発明は、上述した実施形態に限定されるものではなく、本発明の要旨を変えない範囲において、種々の変更、改変等が可能である。
【符号の説明】
【００６１】
１００、２００  送風装置
１０、１１０  台座
１０ａ  第１の貫通孔
１０ｂ  溝部
１０ｃ  第２の貫通孔
１０ｄ  第３の貫通孔
１０ｅ  凹部（ボール収納部）
１０ｆ  固定用凹部
１１０ａ  溝部
１１０ｄ  貫通孔
１１０ｇ  レール爪部係合孔
１１０ｈ  ビス孔
１１０ｉ  中央底カバー
１１０ｊ  脚部挿入部
１２、１１２  本体
１２ａ、１１２ａ  支柱
１１２ｂ  凹部（ボール収納部）
１４ａ〜１４ｄ  風量切替スイッチ
１６  首振り動作スイッチ
１８  ファンガード
１８ａ、１１８ａ  後側ファンガード
１８ｂ、１１８ｂ  前側ファンガード
２０、１２０  把持部
２２  モータユニット
２４、１２４  回転軸
２６、１２６  第１のモータアーム
２８、１２８  第２のモータアーム
３０  第１のモータアーム接続部
３２  第２のモータアーム接続部
３４ａ〜３４ｄ、１３４  脚部
３６、４６、１３６  ボール
３８  ボール押さえ部
３８ａ  脚部
４０、１４０  すべり板（レール）
４２  第２の実施形態の台座
４２ａ、１１０ａ  溝部
４４  第１のリング
４８  第２のリング
１４０ａ  レール爪部
１４０ｂ  ビス孔
１５０  ビス
１５２  ワッシャー
１５４  Ｅリング
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
送風部と、前記送風部を保持する本体と、前記本体を回転軸で枢着する台座と、前記本体を前記回転軸を中心に左右方向に旋回させる首振り機構と、を備え、
前記回転軸から離れた位置であって、前記回転軸の近傍に配置された前記首振り機構の配置位置よりも外側の位置に、前記本体を支持する複数の回転体を設け、
前記台座に凹形状の回転体収納部を形成し、該回転体収納部に前記回転体を収納するとともに、前記回転体を前記回転体収納部に保持するための回転体押え部材を設けたことを特徴とする送風装置。
【請求項２】
前記複数の回転体を前記台座に設けたことを特徴とする請求項１に記載の送風装置。
【請求項３】
前記回転体押え部材は、回転体露出孔を有しており、該回転体露出孔から前記回転体の一部が露出するように前記回転体を押えるものであることを特徴とする請求項１又は２に記載の送風装置。
【請求項４】
前記回転体押え部材は、脚部を有しており、該脚部に形成した爪部を前記台座に形成された係止孔に係入して前記台座に装着することを特徴とする請求項１〜３のいずれかに記載の送風装置。
【請求項５】
前記回転体は、第１のリングと第２のリングの間に回転可能に挟持され、前記台座に形成されたリング状凹部に前記第１のリングと第２のリングが挿入されていることを特徴とする請求項１に記載の送風装置。
【請求項６】
前記第１のリングと第２のリングの周方向に複数の回転体挟持孔が形成されており、これら回転体挟持孔にそれぞれ前記回転体が挟持されることを特徴とする請求項５に記載の送風装置。
【請求項７】
前記複数の回転体を前記本体の底部に設けたことを特徴とする請求項１に記載の送風装置。
【請求項８】
前記回転体が設けられた部材と対向する側にレールを設けたことを特徴とする請求項２又は７に記載の送風装置。
【請求項９】
前記回転体及び前記レールの材質は摺動性の良い合成樹脂を用いることを特徴とする請求項８に記載の送風装置。
【請求項１０】
前記回転体はボールであることを特徴とする請求項１〜９のいずれかに記載の送風装置。
【手続補正２】
【補正対象書類名】明細書
【補正対象項目名】全文
【補正方法】変更
【補正の内容】
【発明の詳細な説明】
【技術分野】
【０００１】
本発明は、部屋の空気を攪拌させる送風機、特に送風機の首振り機構に関する。
【背景技術】
【０００２】
送風装置はファンによって室内の温度の異なる空気を攪拌させることで室内の温度を均一にさせることを目的としている。また、より効率よく攪拌させるため送風機の送風方向を変えることのできる首振り機構を搭載したものもある。その構成の一例として、攪拌する気流を生成するファン、ファンを覆うファンガード、ファンガードを固定する本体部、本体部の回転軸を軸支する台座からなる送風装置がある。
また、居室のサイズが大きくなるに伴い、攪拌する能力を高くするため送風装置のサイズも大型化してきている。
【０００３】
大型の送風装置ではファンやファンを駆動するモータなどで比較的重量のある本体部を回転軸の１点で支えて首振り動作をさせるため、首振り機能を動作させると本体部が振れる（いわゆるガタツキ）ことによって滑らかな回転が難しく、特に長時間運転した送風装置についてはその傾向が顕著となる。
そこで、重量のある本体を有する送風装置を滑らかに回転させる構成として様々な提案がなされている。
【０００４】
例えば特許文献１に記載されている扇風機では、基台にスラスト軸受けを設けることで基台に対して支柱を回転可能に軸支させた構成が開示されている。この扇風機は、電動機部（ファンとファン駆動部）を取り付けた支柱を、トラスト軸を介して基台に支持し、支柱を回転させることにより、全体を持ち上げることなく電動機の向きを自由に変えられるようにしたものであるが、電動機部の首振りは、電動機部に設けられた首振り機構によって行われる。したがって、電動機部が大型化すると首振り機構も大型化、複雑化し、さらには駆動装置のパワーアップ等が必要になり、コストも高くなるという問題がある。
【先行技術文献】
【特許文献】
【０００５】
【特許文献１】実開平３−１００９５号
【発明の概要】
【発明が解決しようとする課題】
【０００６】
本発明は、以上のような課題を解決するため鋭意検討した結果なされたものであり、重量のある送風装置の本体のガタツキを防ぐとともに、送風装置が大型化しても、滑らかな首振りを簡単な構成で安価に実現できる送風装置を提供するものである。
【課題を解決するための手段】
【０００７】
上記課題を解決するため、請求項１に記載の発明にあっては、送風部と、前記送風部を保持する本体と、前記本体を回転軸で枢着する台座と、前記本体を前記回転軸を中心に左右方向に旋回させる首振り機構と、を備え、
前記回転軸から離れた位置であって、前記回転軸の近傍に配置された前記首振り機構の配置位置よりも外側の位置に、前記本体を支持する複数の回転体を設け、
前記台座に凹形状の回転体収納部を形成し、該回転体収納部に前記回転体を収納するとともに、前記回転体を前記回転体収納部に保持するための回転体押え部材を設けたことを特徴とする。
【０００８】
請求項２に記載の発明にあっては、前記複数の回転体を前記台座に設けたことを特徴とする。
【０００９】
請求項３に記載の発明にあっては、前記回転体押え部材は、回転体露出孔を有しており、該回転体露出孔から前記回転体の一部が露出するように前記回転体を押えるものであることを特徴とする。
【００１０】
請求項４に記載の発明にあっては、前記回転体押え部材は、脚部を有しており、該脚部に形成した爪部を前記台座に形成された係止孔に係入して前記台座に装着することを特徴とする。
【００１１】
請求項５に記載の発明にあっては、前記回転体は、第１のリングと第２のリングの間に回転可能に挟持され、前記台座に形成されたリング状凹部に前記第１のリングと第２のリングが挿入されていることを特徴とする。
【００１２】
請求項６に記載の発明にあっては、前記第１のリングと第２のリングの周方向に複数の回転体挟持孔が形成されており、これら回転体挟持孔にそれぞれ前記回転体が挟持されることを特徴とする。
【００１３】
請求項７に記載の発明にあっては、前記複数の回転体を前記本体の底部に設けたことを特徴とする。
【００１４】
請求項８に記載の発明にあっては、前記回転体が設けられた部材と対向する側にレールを設けたことを特徴とする。
【００１５】
請求項９に記載の発明にあっては、前記回転体及び前記レールの材質は摺動性の良い合成樹脂を用いることを特徴とする。
【００１６】
請求項１０に記載の発明にあっては、前記回転体はボールであることを特徴とする。
【発明の効果】
【００１７】
請求項１に記載の発明によれば、回転軸から離れた位置に回転体が配置されるため、送風装置が大型化しても回転体によって本体を安定して支えることができ、本体の傾きを防ぎ、ガタ付きを低減し、回転体が回転することにより滑らかな首振り動作を実現することができる。また、首振り機構を回転軸近傍に配置できるため回転体が配置される場所より回転軸側のスペースを有効に活用することができ、それにともなって台座のサイズが大きくなることを防ぐことが可能となる。さらに、回転体押さえ部材によって回転体が回転体収納部から飛び出すのを防ぐことが可能となる。
【００１８】
請求項２、７に記載の発明によれば、回転体を設けるスペースを台座もしくは本体に収めることできるため、外観がすっきりする。また、請求項７では組立ての際にボールを押さえ込む必要がないため、余計な部材が不要となる。
【００１９】
請求項３に記載の発明によれば、回転体押さえ部材に回転体露出孔を設けることによって、回転体が飛び出すことを防ぎつつ回転体で本体部を支持することが可能となる。
【００２０】
請求項４に記載の発明によれば、回転体押さえ部の脚部に爪部を設けることによって回転体押さえ部が台座から容易に外れてしまうことを防ぐことが可能となる。
【００２１】
請求項5、６に記載の発明によれば、第1、第２のリングによって回転体同士の位置関係を保ったまま、台座に形成されたリング状凹部内を回転するので、滑らかな首振り動作を実現することが可能となる。
【００２２】
請求項８、９に記載の発明によれば、回転体がうまく回転しなかった場合でもレール上を回転体が移動することで滑らかな首振り動作を可能とする。さらに回転体の材質を摺動性の良い合成樹脂を用いることで更に滑らかな首振り動作が可能となる。
【００２３】
請求項１０に記載の発明によれば、回転体をボール（球体）にすることによってどのような方向に回転しても滑らかに回転することができ、さらに本体部を一点で支持するため、本体部とボールとで生じる抵抗を軽減することが可能となる。
【図面の簡単な説明】
【００２４】
【図１】本発明の第１の実施形態に係る送風装置の全体斜視図
【図２】本発明の第１の実施形態に係る台座部分の裏面図
【図３】本発明の第１の実施形態に係る台座部分の側面図
【図４】本発明の第１の実施形態に係る台座の拡大斜視図
【図５】本発明の第１の実施形態に係る部品構成斜視図
【図６】本発明の第２の実施形態に係る部品構成斜視図
【図７】本発明の第３の実施形態に係る送風装置の全体斜視図
【図８】本発明の第３の実施形態に係る部品構成斜視図
【図９】本発明の第３の実施形態に係る組立開始時の底面図
【図１０】本発明の第３の実施形態に係るレールの拡大斜視図
【図１１】本発明の第３の実施形態に係る台座の内面側の拡大斜視図
【図１２】本発明の第３の実施形態に係る組立途中段階の底面図
【図１３】本発明の第３の実施形態に係る組立完成時の底面図
【発明を実施するための形態】
【００２５】
以下に本発明の好適な実施の形態について、図面を参照しながら説明する。なお本実施形態は一例であり、これに限定されるものではない。
【００２６】
（全体構成）
本実施形態に係わる送風装置１００の全体構成について図1を用いて説明する。
【００２７】
送風装置１００は図1に示すとおり概ね台座１０、本体１２、ファンガード１８から構成される。台座１０には、本体１２を一定の角度で左右方向に旋回させる首振り機構が内蔵されている。首振り機構については後述する。図1は、台座１０が本体１２よりも小さく見えるが、これは首振り動作をしている途中を図示しているためである。
【００２８】
本体１２は、台座１０と回転軸２４（図２、図３）とで回動可能に接続されている。本体１２には、風量の強さ・運転停止を指示する風量切替スイッチ１４ａ〜１４ｄが設けられている。また首振り動作のオン・オフを切り替える首振りスイッチ１６が設けられている。
【００２９】
本体１２の左右両側部にはそれぞれ脚部１２ａが立設されており、その上端部はファンガード１８と接続部１２ｂで接続されている。
なお、接続部１２ｂには、図示しないが本体ケース１８の上下方向の角度を調整するための角度調節機構が装備されている。
【００３０】
ファンガード１８は内側に図示しないファン（送風部）を内蔵する。このファンが回転することで室内を攪拌するための気流を生成する。ファンガード１８は、ファンとファン駆動用モータ（不図示）とが固定される後側ファンガード１８ａと、使用者が回転するファンに接触することを防ぐ前側ファンガード１８ｂとから構成される。
【００３１】
前側ファンガード１８ｂのガード形状は渦巻状を形成しているため、ファンによって生成された気流にねじりを加えて直進性を有した気流に変換する。
【００３２】
把持部２０は、送風装置１００を容易に持ち運ぶことを可能とするために取り付けられている。本実施例では後側ファンガード１８ａ裏側上部に取り付けられるが、同様の作用を発揮するのであればどこでも構わない。
【００３３】
（首振り機構）
次に図２〜図４を用いて首振り機構の説明をする。図２，図３は、それぞれ台座１０の裏面図と側面図であり、図４は台座の一部分を示す拡大斜視図である。
【００３４】
台座１０の裏側には、略中心部に円形の第３の貫通孔１０ｄ（図４）が形成され、その貫通孔１０ｄの側近部に空豆形状の第1の貫通孔１０ａが形成されている。また第１の貫通孔１０ａと反対側には第３の貫通孔１０ｄから離れて円形の第２の貫通孔１０ｃが形成されている。さらに、図２に示すように、台座１０の長側縁部の略中央部から第２の貫通孔１０ｃまで延びるクランク形状の溝部１０ｂが形成されている。なお、台座１０の強度を確保するため、補強用のリブが各所に設けられている。
【００３５】
台座１０の上部には、図３に示すようにモータユニット２２が配置されている。モータユニット２２は実際には本体１２の内部に設置されるが、図３では便宜上、本体１２を省略している。モーターニット２２は、モータ出力軸に一端部を枢着させた第１のアーム２６（図２）を有しており、この第１のアーム２６の他端部は、図２に示すように台座１０の裏面部に配置されたアーチ形状の第２のアーム２８の一端部に枢着されている。また第２のアーム２８の他端部は、第３の貫通孔１０ｄ（回転軸２４を通す孔）の近くの枢着部３２に枢着されている。
【００３６】
これにより、モータユニット２２の回転に伴って第１のアーム２６が回転運動し、第２のアーム２８は、他端部が台座１０の枢着部３２に枢着されているため、第1の貫通孔１０ａに沿うような往復運動に変換される。この往復運動に伴い、本体１２は、第３の貫通孔１０ｄに枢着された回転軸２４を中心にして左右方向に首振り運動することになる。
【００３７】
溝部１０ｂは、商用電源から送風装置１００に電力を供給するための電源コード（不図示）を格納するための溝である。溝部１０ｂ内に格納することによって電源コードが台座１０の下での電源コードの取り回しが容易になる。
【００３８】
第２の貫通孔１０ｃは、溝部１０ｂに格納された電源コードを台座１０の表側、つまり本体１２側に通すための孔である。モータユニット２２は、台座１０の表側に配置されるので、モータユニット２２の近傍に第２の貫通孔１０ｃがあることでモータユニットとの接続を容易に行うことが可能となる。
【００３９】
第３の貫通孔１０ｄは、回転軸２４を通すための孔である。本体１２は、この回転軸２４を中心に首振り動作を行う。
【００４０】
台座１０の底部には脚部３４ａ〜３４ｄが設けられており、台座１０を床などに置いたときに、床に傷などをつけないようにしている。脚部３４ａ〜３４ｄは、床などを傷つけないものであればゴムでもフェルトのようなものであっても構わない。
【００４１】
（滑動機構）
次に図４、図５を用いて台座１０に設けられる滑動機構について説明する。滑動機構は、台座１０に形成されたボール収納部１０ｅと、ボール（回転体）３６と、ボール押え部材３８及び本体１２の底部に取り付けられたレール４０から構成されている。
【００４２】
具体的には、図４に示すように、座台１０の表面側には、首振りの回転中心となる第３の貫通孔１０ｄ（回転軸２４）及びモータユニット２２の配置位置から離して矩形の複数の溝部１０ｇが形成されている（ここでは４カ所に形成されている）。この溝部１０ｇの中央部には凹形状のボール収納部１０ｅが形成されており、このボール収納部１０ｅにボール３６が回転可能に収納されている。また、溝部１０ｇの左右両側部にはボール押え部材３８の係止孔１０ｆがそれぞれ形成されている。
【００４３】
ボール押さえ部材３８の上面部にはボール露出孔３８ｂが開口されている。また上面部から下方に伸びる脚部３８ａが設けられており、脚部３８ａの下端部には爪部が形成されている。このボール押え部材３８は、溝部１０ｇのボール収納部１０ｅにボール３６を収納した後、脚部３８ａを溝部１０ｇの係止孔１０ｆに挿入し、爪部を係止孔１０ｆに係止させることにより溝部１０ｇに装着される。これにより、ボール３６は、ボール押さえ部材３８のボール露出孔３８ｂからその一部分が露出した状態でボール収納部１０ｅの内部に押えられる。また脚部３８ａの爪部が係止孔１０ｆに係止されるため、ボール押え部材３８は溝部１０ｇから外れないようになっている。
【００４４】
なお、ボール押さえ部材３８が溝部１０ｇから容易に取れないようにする為に上記のような脚部に爪部を設けるほか、ネジ止めや接着、溶着などを用いることも可能である。
【００４５】
レール４０は、本体１２の底部のボール３６に接する位置に装着されている。装着の方法は、前述のボール押さえ部３８の脚部３８ａのような返しを設けてもよいし、ネジ止めや接着・溶着を用いても構わない。このレール４０によって、ボール３６が滑らかに回転することが可能となる。
【００４６】
本体部１２を支持する台座１０は、ボール押さえ部材３８のボール露出孔３８ｂから露出しているボール３６が本体１２のレール４０と接しており、ボール３６自体が回転することによって、本体１２の滑らかな首振りを実現するものである。ボール３６のような回転体であれば、本体１２と一点で接触、支持できるので首振り動作時の摩擦も小さくなり、より滑らかな回転が可能となる。
【００４７】
また、ボール３６には、ボール収納部１０ｅでの回転運動を容易にするために潤滑剤を使用しても構わない。さらに、本実施例では回転体としてボールを使用しているが回転可能であれば、円柱でも円錐体のような形状であっても構わない。
【００４８】
ボール収納部１０ｅはモータユニット２２より外側になるように設けられる。モータユニット２２を回転軸２４の近くに配置することで、モータユニット２２の重さによって本体１２が傾くことを防ぎ、さらにボール収納部１０ｅを回転軸２４より遠い位置に配置することで、ボール３６により、本体１２が傾くことがないように安定して支持することができる。
【００４９】
また、本実施形態ではボール３６を４つ使用しているが、ボールを３つ以上であれば同様の効果を得ることが可能である。
【００５０】
次に、ボール３６とレール４０の材質について説明する。
ボール３６の材質はポリアセタール（ＰＯＭ）であり、レール４０はナイロンで構成される。この構成であれば、ポリアセタールは摺動性の良い合成樹脂であるため、より滑らかな首振り動作を実現することができる。更にボール３６はオイルを含浸させたものであればなお良い。また、ボール３６やレール４０の材質は上記材料に限定されず、摺動性の良い合成樹脂、例えばポリアミド（ＰＡ）、ポリテトラフルオロエチレン（ＰＴＦＥ）であっても良い。
【００５１】
（第２の実施形態）
次に第２の実施の形態として、図６を用いて説明する。第２の実施形態は、第１の実施形態のようにボール３６が台座１０に格納され固定の位置で回転するのに対して、ボール自体が移動することでより滑らかな首振り運動を実現する。なお、図６では本体１２は図示していない。
【００５２】
台座４２には回転軸２４を中心としてリング状の凹部４２ａが設けられる。凹部４２ａ内には第１のリング４４と第２のリング４８との間にボール４６を挟んで一体となったもの（回転部）がはめ込まれる。
【００５３】
すなわち、回転部は第１のリング４４と第２のリング４８の２枚から構成され、各リング４４,４８の周方向にはボール４６の外径より僅かに小径のボール挟持孔４４ａ，４８ａが複数開口されており、これらボール挟持孔４４ａ，４８ａの間にボール４６を回転可能な状態で挟持させる。なお２枚のリング４４,４８は溶着・接着やネジで連結してもよい。
【００５４】
このような回転部を設けることにより、凹部４２の中を、それぞれのボールの位置関係を乱すことなく、自由に回転運動可能にすることにより、より滑らかな首振り運動を実現することが可能となる。
【００５５】
（第３の実施形態）
次に第３の実施の形態である送風装置２００について、図７、図８を用いて説明する。第１、第２の実施形態とは異なり、送風装置２００のファンガード１１８は一つの支柱１１２ａにて本体１１２に支持されている。また図８に示すようにボール１３６が本体１１２側に配置され、レール１４０が台座１１０側に配置されている。
【００５６】
（組立工程）
図９〜図１３を用いて送風装置２００の構成を組立順に沿って具体的に説明する。  
図９は組立開始時の状態を本体１１２の底面側から見たもので、中央部には図２と同様の首振り機構（中心軸１２４、第１のモータアーム１２６、第２のモータアーム１２８など）を備え、さらにボール１３６を受ける凹部のボール収納部１１２ｂが設けられており、その上に、８個のボール１３６を上方から載せたものである。その後、図１０に示すレール１４０のフラット面（不図示）がボール１３６と接するように上方から載せる。なお、レール１４０は台座１１０に係合させるための爪部１４０ａを４つ備えるとともに、台座１１０とビス止めされるビス受け部１４０ｂを４つ備えている。
【００５７】
図１１に示すように台座１１０の内部中央部には、中心軸１２４を通す孔１１０ｄが形成されるとともに、座台１１０の内部周縁部にはレール１４０が入り込む溝部１１０ａが設けられている。レール１４０は、その溝部１１０ａに覆いかぶせるように嵌入される。その際、台座１１０の内部に設けた４つの係合孔１１０ｇに４つのレール爪部１４０ｂが係合するように嵌め込んだあと、図１２に示すように、ビス１５０にてレール１４０と台座１１０とを共締めする。その後、回転軸１２４にワッシャー１５２を嵌め込んだあとＥリング１５４で締め付ける。
【００５８】
最後に、台座１１０の脚部挿入部１１０ｊにゴムなどからなる脚部１３４を挿入し、中央底カバー１１０ｉを嵌め込むことで組立が完成する（図１３参照）。
【００５９】
以上のように、各実施形態によれば送風装置の首振り動作において、ガタツキをなくしスムーズな首振り動作を提供することができる。
なお本発明は、上述した実施形態に限定されるものではなく、本発明の要旨を変えない範囲において、種々の変更、改変等が可能である。
【符号の説明】
【００６０】
１００、２００  送風装置
１０、１１０  台座
１０ａ  第１の貫通孔
１０ｂ  溝部
１０ｃ  第２の貫通孔
１０ｄ  第３の貫通孔
１０ｅ  凹部（ボール収納部）
１０ｆ  固定用凹部
１１０ａ  溝部
１１０ｄ  貫通孔
１１０ｇ  レール爪部係合孔
１１０ｈ  ビス孔
１１０ｉ  中央底カバー
１１０ｊ  脚部挿入部
１２、１１２  本体
１２ａ、１１２ａ  支柱
１１２ｂ  凹部（ボール収納部）
１４ａ〜１４ｄ  風量切替スイッチ
１６  首振り動作スイッチ
１８  ファンガード
１８ａ、１１８ａ  後側ファンガード
１８ｂ、１１８ｂ  前側ファンガード
２０、１２０  把持部
２２  モータユニット
２４、１２４  回転軸
２６、１２６  第１のモータアーム
２８、１２８  第２のモータアーム
３０  第１のモータアーム接続部
３２  第２のモータアーム接続部
３４ａ〜３４ｄ、１３４  脚部
３６、４６、１３６  ボール
３８  ボール押さえ部
３８ａ  脚部
４０、１４０  すべり板（レール）
４２  第２の実施形態の台座
４２ａ、１１０ａ  溝部
４４  第１のリング
４８  第２のリング
１４０ａ  レール爪部
１４０ｂ  ビス孔
１５０  ビス
１５２  ワッシャー
１５４  Ｅリング